(57)【要約】  【課題】  靴下は体重を受けた足裏よりその荷重を受ける状態であることから、直接肌に触れる部分に吸湿性のある糸を編み込んだとしても、その糸と肌との密着性により湿度を感じる不快感は充分に除去し得ない。  【解決手段】足裏面の肌の触れる靴下部分に、布帛を介して、高吸放湿性繊維の混用された中綿又は不織布が配置された靴下により解決され、発汗による靴内の湿度の上昇速度を抑制するとともに、充分に靴内湿度を低く抑え、さらさら感を持続し得る。  【選択図】  図２
2006144155.tif 000002
【特許請求の範囲】
【請求項１】
足裏面の肌の触れる靴下部分に、布帛を介して、高吸放湿性繊維の混用された中綿又は不織布を配置した靴下。
【請求項２】
靴下の底面部が指骨先端から中足骨までである請求項１に記載の靴下。
【請求項３】
靴下つま先部分が開口している請求項１又は２に記載の靴下。
【請求項４】
靴下上面部分に、布帛を介して、高吸放湿性繊維の混用された中綿又は不織布を配置した請求項１に記載の靴下。
【発明の詳細な説明】
【技術分野】
【０００１】
本発明は、吸放湿性に優れる底部を有する靴下に関するものである。
【背景技術】
【０００２】
人間はじっとしていても不感蒸泄により一日あたり８５０ｇの汗をかくと言われている。特に足の裏は、運動のみでなくストレスからも発汗が促進されることから、発汗による不快感で悩んでいる人は多い。
【０００３】
革靴、運動靴、長靴、ブーツ等足がスッポリと入る履物は、中の空気と外の空気が入れ替わり難いことから閉鎖型の履物と言え、発汗による不快感は非常に高いものである。一方、スリッパ、サンダル、つっかけ、ミュール等は、足と外気がふれやすいことから開放型の履物と言える。しかしながら、開放型の履物であっても、あるいは履物を着用していない場合であっても、足部の裏面の発汗による不快感は存在するものである。
【０００４】
いままで、発汗による不快感を解消すべく、吸湿効果を有する薬剤を入れた容器を靴のつま先部分の間隙にいれる靴中置脱臭、吸湿具や、吸湿性の布シート等を備えている靴の中敷が開示されている（例えば、特許文献１、或は特許文献２参照）。しかしながら、靴を着用しているときの靴中の吸湿具であるものの、発汗量の多い足の裏に密接するものでは無い。また、閉鎖型の履物に適用されており、吸湿性を有するものが湿度過飽和となった時点で吸湿限界となる。
【０００５】
また、汗取り紙や不織布を足にあうような形状に裁断し、足の指と指の間がくっつかないように保持し吸湿を行うことにより、肌と靴下のべたつきを防止する足裏及び指間汗取り紙が開示されている（例えば、特許文献３参照）。しかしながら、肌と靴下とのべたつきを防止するものでしかなく、肌と履物とのべたつきを直接防止するものではない。また、靴下とは別に着用する必要があり煩雑である。
【０００６】
さらに、靴下において、熱融着繊維を含有する不織繊維層が伸縮性繊維を含む編み糸によってステッチ縫合されさらに吸湿性加工された靴下や、靴下の底部に、吸湿性のアクリル系編み糸を使用して、足の裏に接する内側方面にループを形成したパイル編みし、靴底に接する外側は平編みし、内側と外側の地編みの中に、収縮性フィットヤーンを編み込み、当該底部にメッシュ編み部を適宜の感覚で設けた靴下が開示されている（例えば、特許文献４、或は特許文献５参照）。しかしながら、靴下は体重を受けた足裏よりその荷重を受ける状態であることから、直接肌に触れる部分に吸湿性のある糸を編み込んだとしても、その糸と肌との密着性により湿度を感じる不快感は充分に除去し得ない。
【特許文献１】特開平１０−１１３２０２号公報、特許請求の範囲の請求項１及び段落「０００４」に記載。
【特許文献２】特開２００３−８８４０５号公報、特許請求の範囲の請求項４及び段落「００１０」に記載。
【特許文献３】特開２００２−５８７０１号公報、特許請求の範囲の請求項１及び段落「０００５」等に記載。
【特許文献４】特開２０００−３５５８０２号公報、特許請求の範囲の請求項７、段落「００３８」及び段落「００１１」に記載。
【特許文献５】特開２００２−８８５１２号公報、段落「０００７」及び段落「００５７」に記載。
【発明の開示】
【発明が解決しようとする課題】
【０００７】
足裏の発汗による不快感を軽減し上述した様な問題を解決することを課題とする。
【課題を解決するための手段】
【０００８】
本発明は、靴下において、直接肌に触れないように高吸放湿性繊維の混用された不織布を設置することで課題を解決するものである。すなわち、
（１）足裏面の肌の触れる靴下部分に、布帛を介して、高吸放湿性繊維の混用された中綿又は不織布が配置された靴下により解決される。さらには、
（２）靴下の底面部が指骨先端から中足骨までである（１）に記載の靴下により、或は
（３）靴下つま先部分が開口している（１）又は（２）に記載の靴下により、或は
（４）靴下上面部分に、布帛を介して、高吸放湿性繊維の混用された中綿又は不織布を配置した（１）に記載の靴下により解決される。
【発明の効果】
【０００９】
本発明の靴下は、運動靴の様な閉鎖型の靴を着用した場合でも、発汗による靴内の湿度の上昇速度を抑制するとともに、充分に靴内湿度を低く抑え、さらさら感を持続し得る効果を有する。
【００１０】
さらには本発明の靴下は、サンダルやミュールの様な開放型の靴を着用した場合でも、足の裏面の発汗にもかかわらず靴下底面の表面はさらさら感を持続し得る効果を有する。
【発明を実施するための最良の形態】
【００１１】
本発明の靴下は、足裏面の肌の触れる靴下部分に、布帛を介して、高吸放湿性繊維の混用された不織布を配置したものである。
【００１２】
高吸放湿性繊維は、例えば周囲の湿度環境に応じて吸湿・放湿を行なう繊維である。好ましくは２０℃、９５％ＲＨにおける吸湿率と２０℃、４０％ＲＨにおける吸湿率の差が４０重量％以上のものである。吸湿率の差が４０重量％以上の場合は湿った靴下の湿気をよく吸収し、吸収した湿気を天日乾燥により容易に放湿することができる。
【００１３】
なお、上記「吸湿率」とは、各条件下で繊維を２４時間放置して吸湿させた時の重量とその繊維の絶乾質量との差をその繊維の絶乾質量で除したときの値である。また、「ＲＨ」とは「相対湿度」の意味である。
【００１４】
上記特性を備えた吸放湿性繊維の例としては、架橋ポリアクリル酸ナトリウム塩系繊維、アクリル繊維の表面を後加工により加水分解した繊維などがあげられる。これらの繊維は単独でまたは２種以上を併用してもよい。
【００１５】
吸放湿性繊維の市販品としては、例えばカネボウ合繊（株）製、商品名「ベルオアシス」や東洋紡績（株）製、商品名「Ｎ−３８」等が挙げられる。特にベルオアシスは２０℃、９５％ＲＨにおける吸湿率が１４０重量％、４０％ＲＨにおける吸湿率が２２重量％で、その差が１００重量％を超え、さらに該繊維は吸湿速度と放湿速度がほぼ同じであり、吸湿した湿気を短時間で放湿させることが可能である。
【００１６】
高吸放湿性繊維の混用された中綿は、高吸放湿性繊維とその他の繊維とからなり、高吸放湿性繊維の含有率は任意であるが、好ましくは２０〜９０重量％である。この範囲内で
あれば優れた高吸放湿性能を発揮することができる。さらに好ましくは３０〜７０重量％である。
【００１７】
中綿に使用するその他の繊維の種類は特に限定しない。合成繊維、天然繊維、再生繊維等、全ての繊維を使用することができる。また、中空繊維、難燃繊維、消臭繊維、防カビ繊維等の機能性繊維を使用することにより、それぞれの機能を付与することもできる。これらの繊維は２種以上を混合して用いてもよい。
【００１８】
中綿に使用する繊維の繊度は特に限定しないが、好ましくは３〜１５ｄｔｅｘである。この範囲内であれば繊維の絡みがよく、また、繊維のへたりが少ないため中綿内の空間を保持でき吸湿・乾燥が効率よく行なわれる。さらに好ましい範囲は６〜１２ｄｔｅｘである。
【００１９】
中綿の形状としては吸放湿性繊維とその他の繊維を混綿したものをそのまま使用することもできるが、不織布状が好ましい。
【００２０】
中綿には必要に応じて、例えば粉末あるいは粒状の難燃剤、消臭剤、抗菌剤、防カビ剤等の各種の添加剤を添加することもできる。
【００２１】
高吸放湿性繊維の混用された中綿を靴下に配置する場合は、中綿が崩壊しにくい状態とするのが良く、例えば足裏面の肌の触れる靴下部分を３層以上の構造としその中層に配置したりするのが好ましい。
【００２２】
高吸放湿性繊維の混用された不織布は構成として中綿と同じであり、ニードルパンチ及び圧縮ロールにて不織布としたものである。高吸放湿性繊維の混用された不織布を靴下に配置する場合は、例えば足裏面の肌の触れる靴下部分の布帛に直接接着或は縫製したり、又は足裏面の肌の触れる靴下部分を３層以上の構造としその中層に配置したりするのが好ましい。
【００２３】
足裏面の肌の触れる靴下部分の布帛は、素材として通気性のあるものであればよく、例えば、合成繊維、天然繊維、再生繊維等からなる織物、編物などがあげられ、通常の靴下に用いられる素材であっても良い。
【００２４】
布帛を介してとは、足裏面の肌と高吸放湿性繊維とが直接触れることはなく、足裏面に対し布帛を挟んで高吸放湿性繊維が配置されるということである。従って、通常の靴下において、その足裏面の肌の触れる部分とは反対側に高吸放湿性繊維の混用された不織布或は中綿が配置されてもよい。
【００２５】
靴下の素材としては、通常に用いられる素材であればよく、例えば、合成繊維、天然繊維、再生繊維等からなる織物や編物、布帛等があげられる。
【００２６】
靴下の形状としては、タイツ或はパンスト、ストッキング、オーバーザニー、ハイソックス、スリーコーター、ブーツソックス、クルーソックス、ソックス、アンクレット、フートカバー等の形状があげられる。さらには、図２に示すような足の甲の部分のみカバーするスリッパ型の靴下であっても良く、さらには、図１８に示すようなスリッパ型の靴下であってその底面部が指骨先端から中足骨までである靴下であっても良い。
【００２７】
靴下のつま先部分は、靴下の素材で覆われても良く、また開口した状態でも良い。
【００２８】
靴下の底面部以外の部分は、適度のデザインや刺繍が成されていても良く、特にスリッ
パ型の靴下の足の甲をカバーする部分は適度のデザインや刺繍が成されていても良い。さらに、靴下の足の甲をカバーする部分の素材としては、レースが施されていても良い。特に、本願発明の靴下を開放型の履物と同時に着用した場合、視覚的に効果的である。
【実施例】
【００２９】
以下、本発明の実施例を図１〜２０を用いて詳しく説明するが、本発明はこれに限定されるものではない。
【００３０】
（実施例１）
高吸放湿性繊維の混用された不織布を用いて、本発明のスリッパ形状の靴下を作製した。
【００３１】
図１〜３は、本発明のスリッパ形状の靴下を表す図であり、図１は正面図、図２は左側面図、図３は上面図である。靴下の底面は２層で構成されている。足の裏面に接する表層は目付１５０ｇ／ｍ2のポリエステル布であり、下層はレギュラーポリエステル６．７ｄｔｅｘ、５１ｍｍとカネボウ合繊（株）製高吸放湿性繊維「ベルオアシス」１０ｄｔｅｘ、５１ｍｍが６０：４０の混合比で混用された目付２００ｇ／ｍ2の不織布である。
【００３２】
図４は、靴下の断面を表す図であり、ポリエステル布でなる表層１と高吸放湿性繊維を混用された不織布でなる下層２を示す。
【００３３】
この２層は、ポリエチレンを用いたホットメルトで互いに接着されている。足を掛ける部分はポリエステル布で形成されている。
【００３４】
（比較例１）
高吸放湿性繊維を全く混用しない不織布を下層２に設置する以外は、実施例１と同じ構成であるスリッパ形状の靴下を作製した。
【００３５】
（比較例２）
表層１を使用しない以外は、実施例１と同じ構成であるスリッパ形状の靴下を作製した。
【００３６】
本発明の靴下の効果を調べるために、次の方法にて評価を行った。
【００３７】
〔靴内温湿度変化（静止時、運動時）〕
女性３名を被験者とし、被験者の足のサイズに合わせた靴を準備し、片方の靴にベルオアシス混スリッパ形状の靴下、もう片方に通常のスリッパ形状の靴下（ベルオアシスを混用していないもの）を、その上から靴を着用してもらい、土踏まず部分の靴下と靴の間に靴内温湿度測定用センサを挿入し、室温約２５℃、湿度３５〜４５％の恒温恒湿度下、靴着用直後からの靴内の温湿度を測定した。
【００３８】
「静止時」の評価の場合は靴着用後、静止状態での靴内の温湿度変化を測定した。
【００３９】
「運動時」の評価の場合は靴着用後、４０分間静止した後、５ｋｍ／ｈｒの速度で１０分間の歩行を行なった。次いで３５分間静止した後、７ｋｍ／ｈｒの速度で１０分間のジョギングを行ない、最後に２５分間静止し、靴着用後から最後の静止状態までの靴内の温湿度変化を測定した。
【００４０】
〔官能量評価〕
女性３名を被験者とし、被験者の足のサイズに合わせた靴を準備し、片方の靴にベルオ
アシス混不織布で構成されるスリッパ形状の靴下、もう片方に通常の不織布で構成されるスリッパ形状の靴下（ベルオアシスを混用していないもの）を入れ、着用快適性評価を行なった。評価は官能量を５項目で表現し、５段階でその良否を判断した。
【００４１】
靴着用後、３０分間静止した後、５ｋｍ／ｈｒの速度で歩行１０分、静止３０分を２回繰返し行ない、静止後、歩行後および靴を脱いだ直後の官能量を評価した。
【００４２】
評価としては、靴下が「湿っている」状態、「汗ばんでいる」状態、「あたたかい」状態、及び「靴の中がさらさらしている」状態の各項目について、状態の小さい方から大きい方へ１〜５の５段階とした。
【００４３】
〔靴内温湿度変化（静止時、運動時）結果〕
静止時における靴内の温湿度経時変化の測定結果を図５に示す。
【００４４】
実施例１のスリッパ形状の靴下を着用した場合、靴内湿度の初期上昇率が約０．８％／ｍｉｎ、１２０分後の靴内湿度が６５％であった。それに対し、比較例１のスリッパ形状の靴下を着用した場合、初期上昇率が約２．２％／ｍｉｎ、１２０分後の靴内湿度が９３％であった。この様に、下層に高吸放湿性繊維が混用されている不織布を装備した靴下は、靴内の湿度の上昇速度を抑制するとともに、１２０分後においても充分に靴内湿度を低く抑え得るものである。
【００４５】
運動時における靴内の温湿度経時変化の測定結果を図６に示す。
【００４６】
実施例１のスリッパ形状の靴下を着用した場合、運動開始とともに靴内湿度の上昇が見られたものの、比較例１のスリッパ形状の靴下を着用した場合の靴内湿度と比較し、常に低い値を示し、その差は２０％となる時もあった。この様に、下層に高吸放湿性繊維が混用されている不織布を装備した靴下は、発汗量が増大する運動時においても靴内の湿度の上昇を低く抑え得るものである。
【００４７】
〔官能量評価〕
被験者の官能量評価結果を表１に示す。
【００４８】
【表１】
2006144155.tif 000003
【００４９】
運動時においては、実施例１の下層に高吸放湿性繊維を混用された不織布を配置した靴下で、特に運動後「湿っている」「汗ばんでいる」においてそれらを軽減する評価が、「靴の中がさらさらしている」において良好な評価が得られた。
【００５０】
（実施例２）
高吸放湿性繊維の混用された不織布を用いて、本発明の一例であるフットカバータイプの靴下を作製した。
【００５１】
図７〜９は、本発明のフットカバータイプの靴下を表す図であり、図７は正面図、図８は左側面図、図９は上面図である。靴下の底面は３層で構成されている。足の裏面に接する表層と最下層は目付１５０ｇ／ｍ2のポリエステル布であり、中層はレギュラーポリエステル６．７ｄｔｅｘ、５１ｍｍとカネボウ合繊（株）製高吸放湿性繊維「ベルオアシス」１０ｄｔｅｘ、５１ｍｍが６０：４０の混合比で混用された目付２００ｇ／ｍ2の中綿である。
【００５２】
図１０は、靴下の断面を表す図であり、ポリエステル布でなる表層＊、高吸放湿性繊維を混用された中綿でなる中層及びポリエステル布でなる最下層を示す。それらは辺縁部がお互いに縫製され一体化されている。
【００５３】
（実施例３）
高吸放湿性繊維の混用された中綿を用いて、本発明の一例であるクルーソックスタイプの靴下を作製した。３層構造の中層に中綿を配置し周辺が縫合されていることと、靴下部が踝より上方まである以外は、実施例２の靴下と同じ構成である。
【００５４】
図１１〜１３は、本発明の一例の靴下を表す図であり、図１１は正面図、図１２は右側面図、図１３は上面図である。靴下の底面は３層で構成されている。
【００５５】
（実施例４）
高吸放湿性繊維の混用された不織布を用いて、本発明の一例である足の半分をカバーするタイプの靴下を作製した。靴下の底面部が指骨先端から中足骨程度までであること、靴下つま先部分が開口していること以外は、実施例２の靴下と同じ構成である。
【００５６】
図１４〜１９は、本発明の一例の靴下を表す図であり、図１４は正面図、図１５は右側面図、図１６は上面図、図１７は底面図である。靴下の底面は３層で構成されている。
【００５７】
図１８は、着用したときの状態を示す図であり、実線部分が本発明の靴下部分、破線部分が足の形状を示す。
【００５８】
このタイプの靴下は、足を掛ける部分（図１８における符号５）が伸縮性を有する布帛を用いて、図１９の様に平面形状とすることができる。
【００５９】
（実施例５）
高吸放湿性繊維の混用された不織布を用いて、本発明の一例である足の半分をカバーするタイプの靴下を３種作製した。靴下の足を掛ける部分（図１８における符号５）がレースであるもの（図２０（ａ））、メッシュであるもの（図２０（ｂ））、メッシュでありつま先まで覆っているもの（図２０（ｃ））である以外は、実施例２の靴下と同じ構成である。
【００６０】
（比較例３）
高吸放湿性繊維を全く混用しない不織布を中層に設置する以外は、実施例４と同じ構成である、足の半分をカバーするタイプの靴下を作製した。
【００６１】
（比較例４）
上層を使用せず中層＊が足裏面と直接接するようにした以外は実施例４と同じ構成である、足の半分をカバーするタイプの靴下を作製した。
【００６２】
〔試着試験〕
女性を被験者とし、被験者の足のサイズに合わせたミュールを準備し、右足に実施例４の靴下を、左足に比較例３の靴下を素足に着用してもらい、それぞれ実際に汗による湿り感触を調べた。
【００６３】
天候晴れ、気温約２９℃、屋内通常作業環境下、着用時間午前８時から午後３時まで着用した。足の裏は、被験者が思っている以上に汗の出る状況であった。その後、それぞれの靴下を調べてみたところ、実施例４の靴下は、汗を吸収しているはずにも係わらず表面はさらさらしていて使用前の状態と変わらなかった。一方、比較例３の靴下は、かなり湿っており蒸れた状態にあった。また、被験者自身も実際試着して実施例４の靴下のさらさら感を実感した。
【００６４】
また、日を変えて、比較例３の靴下の代わりに比較例４の靴下を着用した場合の、実施例４の靴下との比較を行った。その結果、比較例４の靴下は、足裏面が体重もかかることから、足裏面の直接当たる部分が若干湿った様相を示した。
【００６５】
これらの効果は、実施例４の靴下と、比較例３や比較例４の靴下との構造の違いのために生じると考えられる。比較例３の靴下はポリエステルのみでできているため、吸汗性が
なく汗が肌に直接接するためべとつき感が残る。
【００６６】
これに対し、高吸放湿性繊維を混用された不織布を用いた実施例４の靴下は不織布をさらにポリエステルの布で覆って使用されている。したがって、ポリエステルの布を介して高吸放湿性繊維が汗を吸収し、汗が肌と直接接しないため市販品と比べるとべとつき感が少なくなるものと推測される。
【００６７】
そして、体重のかかる足裏面においては、高吸放湿性繊維を混用された不織布を直接足裏面に接することの無いように配置することで、さらに靴下のさらさら感を増大させることができる。
【００６８】
（実施例６）
高吸放湿性繊維の混用された不織布を用いて、本発明の一例である足の半分をカバーするタイプの靴下を作製した。靴下の足を掛ける部分（図１８における符号５）の上面部分に、織物又は布帛を介して、高吸放湿性繊維の混用された中綿又は不織布を配置した以外は、実施例２の靴下と同じ構成である。
【産業上の利用可能性】
【００６９】
本発明の靴下は、主に一般家庭で着用される。
【図面の簡単な説明】
【００７０】
【図１】本発明のスリッパタイプの靴下の正面図。
【図２】本発明のスリッパタイプの靴下の左側面図。
【図３】本発明のスリッパタイプの靴下の上面図。
【図４】本発明のスリッパタイプの靴下の図３のＡ−Ｂを切断した時の断面図。
【図５】静止時の靴内温湿度経時変化。
【図６】運動時の靴内温湿度経時変化。
【図７】本発明のフットカバータイプの靴下の正面図。
【図８】本発明のフットカバータイプの靴下の左側面図。
【図９】本発明のフットカバータイプの靴下の上面図。
【図１０】本発明のフットカバータイプの靴下の図９のＣ−Ｄを切断した時の断面図。
【図１１】本発明のクルーソックスタイプの靴下の正面図。
【図１２】本発明のクルーソックスタイプの靴下の左側面図。
【図１３】本発明のクルーソックスタイプの靴下の上面図。
【図１４】本発明の足の半分をカバーするタイプの靴下の正面図。
【図１５】本発明の足の半分をカバーするタイプの靴下の右側面図。
【図１６】本発明の足の半分をカバーするタイプの靴下の上面図。
【図１７】本発明の足の半分をカバーするタイプの靴下の底面図。
【図１８】本発明の足の半分をカバーするタイプの着用したときの状態を示す図。実線部分は本発明の靴下部分。破線部分は足の形状。
【図１９】本発明の足の半分をカバーするタイプの靴下が平面形状態であるときの正面図。
【図２０】本発明の足の半分をカバーするタイプの靴下の靴下の足を掛ける部分がレースであるもの（図２０（ａ））、メッシュであるもの（図２０（ｂ））、メッシュでありつま先まで覆っているもの（図２０（ｃ））の平面図。
【符号の説明】
【００７１】
１  足裏面の肌の触れる靴下部分の布帛。
２  高吸放湿性繊維の混用された不織布。
３  高吸放湿性繊維の混用された中綿。
４  最下層の布帛。
５  足を掛ける部分。
６  実施例１の靴下を着用した時の靴内湿度。
７  比較例１の靴下を着用した時の靴内湿度
８  実施例１の靴下を着用した時の靴内温度。
９  比較例１の靴下を着用した時の靴内温度。
１０  被験者が静止状態。
１１  被験者が５ｋｍ／ｈｒで歩行状態。
１２  被験者が７ｋｍ／ｈｒでジョギング状態。
【図１】
2006144155.tif 000004
【図２】
2006144155.tif 000005
【図３】
2006144155.tif 000006
【図４】
2006144155.tif 000007
【図５】
2006144155.tif 000008
【図６】
2006144155.tif 000009
【図７】
2006144155.tif 000010
【図８】
2006144155.tif 000011
【図９】
2006144155.tif 000012
【図１０】
2006144155.tif 000013
【図１１】
2006144155.tif 000014
【図１２】
2006144155.tif 000015
【図１３】
2006144155.tif 000016
【図１４】
2006144155.tif 000017
【図１５】
2006144155.tif 000018
【図１６】
2006144155.tif 000019
【図１７】
2006144155.tif 000020
【図１８】
2006144155.tif 000021
【図１９】
2006144155.tif 000022
【図２０】
2006144155.tif 000023